(57)【特許請求の範囲】
【請求項１】
壁の裏側に配備されて前記壁に形成された壁孔から前記壁の表側に臨む開口部を備える給水ボックスを、前記壁に取り付けるための給水ボックス取付具であって、
前記壁の裏側に位置して前記給水ボックスを固定可能な本体部と、
前記本体部を前記壁に固定すべく、前記壁の裏側から前記壁孔に挿入されてその壁孔の周縁部に係止可能な被係止部と、
を備え、
前記被係止部は、前記本体部から前記壁孔内を前記壁の表側に向かうとともに前記壁孔の軸心側方向に弾性変形可能な弾性片からなり、
前記弾性片の先端部分に、前記壁の表側壁面に係合する係合爪が設けられて、その係合爪と前記本体部とで前記壁を挟持し、
前記弾性片は、前記壁の裏側から前記壁孔に挿入される筒状に前方に突出して形成された前記開口部によって、前記壁孔の軸心側方向への弾性変形が阻止されて、前記壁の表側壁面への前記係合爪の係合を解除することが不能となることを特徴とする給水ボックス取付具。
【請求項２】
前記本体部には、前記壁の厚みに応じて前記係合爪と前記本体部とで前記壁を挟持すべく、前記壁の裏側壁面を押圧する押圧手段が設けられていることを特徴とする請求項１に記載の給水ボックス取付具。
【請求項３】
前記押圧手段は、前記壁の裏側壁面を付勢する付勢手段からなることを特徴とする請求項２に記載の給水ボックス取付具。
【請求項４】
前記付勢手段は、前記本体部に、切り起されるようにして形成された板バネ部からなることを特徴とする請求項３に記載の給水ボックス取付具。
【請求項５】
前記本体部には、その本体部に前記給水ボックスを押圧することにより、前記給水ボックスを係止してその給水ボックスを固定する、係止部が設けられていることを特徴とする請求項１ないし４のいずれか１項に記載の給水ボックス取付具。
【請求項６】
請求項１ないし５のいずれか１項に記載の給水ボックス取付具と、その給水ボックス取付具によって前記壁に取り付けられるとともに内部に継手が収容される前記給水ボックスとからなる、給水ボックス装置。
【発明の詳細な説明】
【０００１】
【発明の属する技術分野】
この発明は、壁に給水ボックスを取り付けるための給水ボックス取付具および、その給水ボックス取付具と給水ボックスとからなる給水ボックス装置に関するものである。
【０００２】
【従来の技術】
従来、ユニットバスの壁の裏側等には、内部に水栓取付用の継手を収容する継手収容ボックス等の給水ボックスが設置された。
【０００３】
ここで、ユニットバスの壁は、表面材であるＦＲＰ製の化粧板の裏面に石膏ボードが貼り付けられた複合板からなっていた。そして、前記給水ボックスは、ユニットバスの壁に、例えば、石膏ボードに貼り付けまたはビス固定されるバックハンガーと呼ばれるボックス支持部材を介して取り付けられた。
【０００４】
しかし、この取付方法によると、給水湯管の挿通配管時に給水ボックスが給水湯管から受ける極めて大きな力によって、ボックス支持部材が石膏ボードから剥がれるようにして給水ボックスが壁から外れる虞があった。すなわち、ボックス支持部材を石膏ボードに貼り付けた場合には、石膏ボート表面の紙材が破れてボックス支持部材が石膏ボードから剥がれる虞があった。また、ボックス支持部材を石膏ボードにビス固定した場合であっても、石膏ボードは崩れやすく、ビスのねじ込みが利きにくいため、同様に、ボックス支持部材が石膏ボードから剥がれる虞があった。
【０００５】
そこで、例えば、特開平８−４０６５号に示される、給水ボックスの取付構造が提案された。この取付構造は、図１０に示されるように、ユニットバスの壁３１の石膏ボード３１ａを所定範囲除去して、ベニヤ合板３２を貼り付け、そのベニヤ合板３２にボックス支持部材３３を貼り付けまたはビス固定するものであった。こうして、ボックス支持部材３３は、ベニヤ合板３２を介して壁３１に固定され、そのボックス支持部材３３に、給水ボックス３４が固定された。すなわち、ベニヤ合板３２であれば、石膏ボード３１ａに比べて、ボックス支持部材３３を貼り付けた場合に石膏ボード３１ａ表面の紙材が破れることもなく、また、ビスによるねじ込み固定も可能であった。なお、３５は、継手であり、３６は、給水湯管、そして、３７は、鞘管である。
【０００６】
【発明が解決しようとする課題】
ところで、前記従来の、給水ボックス３４の取付構造（図１０参照）にあっては、石膏ボード３１ａを所定範囲除去して、ベニヤ合板３２を貼り付けなければならず、この作業は、極めて面倒かつコスト高となるため、ユニットバス業者の間では、かかる作業が不要となる方法が強く望まれていた。また、ベニヤ合板３２が貼り付けられた部分が腐食しやすく、また、石膏ボード３１ａが除去されるため、防音性や保温性も悪くなった。さらに、現場に対応する給水ボックス３４の取付箇所を予め把握して、ベニヤ合板３２を貼り付けておく必要があり、現場においてその現場に応じた自由な作業の妨げとなった。
【０００７】
この発明は、上記した従来の欠点を解決するためになされたものであり、その目的とするところは、給水ボックスを壁に、簡単かつ確実に取り付けることができる、給水ボックス取付具および給水ボックス装置を提供することにある。
【０００８】
【課題を解決するための手段】
この発明に係る給水ボックス取付具および給水ボックス装置は、前記目的を達成するために、次の構成からなる。すなわち、
請求項１に記載の発明に係る給水ボックス取付具５は、壁１の裏側Ｐ１に配備されて前記壁１に形成された壁孔１ａから前記壁１の表側Ｐ２に臨む開口部２ａを備える給水ボックス２を、前記壁１に取り付けるための取付具である。この給水ボックス取付具５は、前記壁１の裏側Ｐ１に位置して前記給水ボックス２を固定可能な本体部５ａと、前記本体部５ａを前記壁１に固定すべく、前記壁１の裏側Ｐ１から前記壁孔１ａに挿入されてその壁孔１ａの周縁部に係止可能な被係止部５ｂと、を備える。ここで、前記被係止部５ｂは、前記本体部５ａから前記壁孔１ａ内を前記壁１の表側Ｐ２に向かうとともに前記壁孔１ａの軸心側方向に弾性変形可能な弾性片５ｉからなり、前記弾性片５ｉの先端部分に、前記壁１の表側壁面１ｃに係合する係合爪５ｆが設けられて、その係合爪５ｆと前記本体部５ａとで前記壁１を挟持する。そして、前記弾性片５ｉは、前記壁１の裏側Ｐ１から前記壁孔１ａに挿入される筒状に前方に突出して形成された前記開口部２ａによって、前記壁孔１ａの軸心側方向への弾性変形が阻止されて、前記壁１の表側壁面１ｃへの前記係合爪５ｆの係合を解除することが不能となる。
【０００９】
これにより、給水ボックス取付具５は、その被係止部５ｂが、壁１の裏側Ｐ１から壁孔１ａに挿入されてその壁孔１ａの周縁部に係止されることで、本体部５ａ、つまりは給水ボックス取付具５が壁１に固定される。そして、この給水ボックス取付具５の本体部５ａに、給水ボックス２が固定される。こうして、給水ボックス２は、壁孔１ａの周縁部に係止される被係止部５ｂを備える給水ボックス取付具５を介して、壁１に取り付けられる。
【００１０】
【００１１】
ここにおいて、弾性片５ｉは、その先端部分の係合爪５ｆが壁孔１ａの周面と干渉しないように、壁孔１ａの軸心側方向に弾性変形しながら、壁孔１ａに挿入される。そして、係合爪５ｆが、壁１の表側Ｐ２に出ると、弾性片５ｉは復帰し、係合爪５ｆは壁１の表側壁面１ｃに係合する。こうして、係合爪５ｆが壁１の表側壁面１ｃに係合することで、弾性片５ｉは、壁孔１ａの周縁部に係止され、また、係合爪５ｆと本体部５ａとで壁１が挟持されて、この給水ボックス取付具５は、壁１に固定される。
【００１２】
そして、壁１の裏側Ｐ１から壁孔１ａに挿入される、給水ボックス２の筒状に前方に突出して形成された開口部２ａを利用することで、弾性片５ｉは、壁孔１ａの軸心側方向への弾性変形が阻止されて、壁１の表側壁面１ｃへの係合爪５ｆの係合が解除されるのを防止することができる。
【００１３】
また、請求項２に記載の発明に係る給水ボックス取付具５のように、請求項１に記載の給水ボックス取付具５において、前記本体部５ａには、前記壁１の厚みに応じて前記係合爪５ｆと前記本体部５ａとで前記壁１を挟持すべく、前記壁１の裏側壁面１ｂを押圧する押圧手段５ｇが設けられてもよい。こうして、壁１の裏側壁面１ｂを押圧する押圧手段５ｇによって、壁１の厚みが異なる場合にも、係合爪５ｆと本体部５ａとで壁１を挟持することができる。
【００１４】
また、請求項３に記載の発明に係る給水ボックス取付具５のように、請求項２に記載の給水ボックス取付具５において、前記押圧手段５ｇは、前記壁１の裏側壁面１ｂを付勢する付勢手段５ｇからなってもよい。
【００１５】
また、請求項４に記載の発明に係る給水ボックス取付具５のように、請求項３に記載の給水ボックス取付具５において、前記付勢手段５ｇは、前記本体部５ａに、切り起されるようにして形成された板バネ部５ｈからなってもよい。
【００１６】
また、請求項５に記載の発明に係る給水ボックス取付具５のように、請求項１ないし４のいずれか１項に記載の給水ボックス取付具５において、前記本体部５ａには、その本体部５ａに前記給水ボックス２を押圧することにより、前記給水ボックス２を係止してその給水ボックス２を固定する、係止部５ｄが設けられてもよい。これにより、給水ボックス２を、給水ボックス取付具５の本体部５ａに押圧することで、本体部５ａに設けられた係止部５ｄが給水ボックス２を係止して、この給水ボックス２は、本体部５ａに固定される。
【００１７】
また、請求項６に記載の発明に係る給水ボックス装置は、請求項１ないし５のいずれか１項に記載の給水ボックス取付具５と、その給水ボックス取付具５によって前記壁１に取り付けられるとともに内部に継手４が収容される前記給水ボックス２とからなる。
【００１８】
【００１９】
【００２０】
【００２１】
【００２２】
【００２３】
【００２４】
【００２５】
【発明の実施の形態】
以下、この発明の実施の形態を図面に基づいて説明する。
【００２６】
図１ないし図４は、本発明としての、第一の実施の形態を示す。図中符号１は、建物の壁、例えば、建物内のユニットバス等の壁である。１ａは、壁１に形成された壁孔である。２は、給水ボックスであり、前記壁１の裏側Ｐ１に配備されて壁孔１ａから壁１の表側Ｐ２に臨む開口部２ａを備える。３は、水や湯を供給する可撓性を備えた流体管である。４は、給水ボックス２内に収容される継手としてのエルボーである。５は、本発明に係る給水ボックス取付具である。
【００２７】
ここで、給水ボックス２は、前記開口部２ａの他に、鞘管接続部２ｂと、フランジ部２ｃを備えている。開口部２ａは、この給水ボックス２の前面上部から筒状に前方に若干突出して形成されている。そして、この開口部２ａが、壁１に形成された壁孔１ａに挿入されることで、開口部２ａは、壁孔１ａから壁１の表側Ｐ２、つまり室内側に臨んでいる。さらに、開口部２ａには、その内周に、雌ねじ部２ｄが設けられている。そして、この雌ねじ部２ｄには、この給水ボックス２内に収容されるエルボー４の鍔部（図示せず）を抑えることで、そのエルボー４を固定することができるリング状のロックリング６が螺合する。また、鞘管接続部２ｂは、この給水ボックス２の下部部分において、下方に突出して形成されている。そして、この鞘管接続部２ｂには、鞘管７が接続され、その鞘管７に、流体管３が挿通される。また、フランジ部２ｃは、この給水ボックス２の前面側を、側方に突出するようにして形成されている（図２参照）。
【００２８】
エルボー４は、図１に示すように、その大半が、給水ボックス２に収容されて、水平方向に延びる一方の接続口４ａの先端部分が、給水ボックス２の開口部２ａから外部に露出する。そして、この接続口４ａに、内側の雌ねじ部４ｂを利用して、水栓等の給水器具等（図示せず）を取り付けることができる。また、エルボー４の鉛直下方に延びる他方の接続口４ｃは、給水ボックス２の鞘管接続部２ｂから内部に挿入される流体管３に接続される。こうして、流体管３を通ってエルボー４に流れる水や湯が、一方の接続口４ａから水栓等の給水器具等に供給される。なお、８は、化粧リングであり、９は、ロックナットである。
【００２９】
給水ボックス取付具５は、壁１の裏側Ｐ１に位置して給水ボックス２を固定可能な本体部５ａと、その本体部５ａを壁１に固定すべく、壁１の裏側Ｐ１から壁孔１ａに挿入されてその壁孔１ａの周縁部に係止可能な被係止部５ｂと、を備える。具体的には、この給水ボックス取付具５は、例えば、鋼板等の板材からなり、本体部５ａは、矩形形状をして、上部中央に、給水ボックス２の開口部２ａが嵌る貫通孔５ｃが形成されている。そして、本体部５ａには、その本体部５ａに給水ボックス２を押圧することにより、給水ボックス２を係止してその給水ボックス２を固定する、係止部５ｄが設けられている。この係止部５ｄは、貫通孔５ｃを挟む左右の各側に、上下方向に並ぶようにして、弾性変形可能となるよう、本体部５ａの後面側に切り起されている。そして、この係止部５ｄの先端部分には、給水ボックス２のフランジ部２ｃに係合する爪部５ｅが設けられて、給水ボックス２を固定できるようになっている。こうして、係止部５ｄの爪部５ｅが、給水ボックス２のフランジ部２ｃによって押圧されると、係止部５ｄは、左右に開き、そして、給水ボックス２が押し込まれて、その前面が本体部５ａの後面に当たると、係止部５ｄは、その材料の持つ弾性によって元に戻り、爪部５ｅがフランジ部２ｃに係合する。
【００３０】
また、本体部５ａには、壁１の厚みに応じて、例えば、壁１の公差内の厚みに応じて、後述する係合爪５ｆと本体部５ａとで壁１を挟持すべく、壁１の裏側壁面１ｂを押圧する押圧手段としての付勢手段５ｇが設けられている。この付勢手段５ｇは、壁１の裏側壁面１ｂを付勢するよう、本体部５ａに、その上下および左右の各側に、切り起されるようにして形成された板バネ部５ｈからなる。この板バネ部５ｈは、本体部５ａの前面側に切り起されて、その前面と略平行となるよう突出するとともに、その材料の持つ弾性により、前面に直交する方向に弾性変形可能となっている。
【００３１】
被係止部５ｂは、本体部５ａから壁孔１ａ内を、その壁孔１ａの周面に沿って壁１の表側Ｐ２に向かうとともに、材料の持つ弾性により壁孔１ａの軸心側方向に弾性変形可能な弾性片５ｉからなる。この弾性片５ｉは、本体部５ａの貫通孔５ｃの周囲の、上下左右の四ヶ所から、前面側に突出するように折り曲げ形成されている。そして、弾性片５ｉの先端部分に、壁１の表側壁面１ｃに係合する係合爪５ｆが設けられて、その係合爪５ｆと前記本体部５ａとで壁１を挟持する。つまり、弾性片５ｉを、壁１の裏側Ｐ１から壁孔１ａに挿入する際には、係合爪５ｆが壁孔１ａの周面に押されて、弾性片５ｉは壁孔１ａの軸心側方向に弾性変形し、係合爪５ｆが壁１の表側Ｐ２に出ると、弾性片５ｉが元に戻り、係合爪５ｆが壁１の表側壁面１ｃに係合する。そして、弾性片５ｉは、壁１の裏側Ｐ１から壁孔１ａに挿入される、給水ボックス２の開口部２ａによって、壁孔１ａの周縁部への係止を解除することが不能となる。つまり、弾性片５ｉは、壁１の裏側Ｐ１から壁孔１ａに挿入される開口部２ａによって、壁孔１ａの軸心側方向への弾性変形が阻止されて、壁１の表側壁面１ｃへの係合爪５ｆの係合を解除することが不能となる。
【００３２】
次に、第一の実施の形態における、上記構成の給水ボックス取付具５の作用効果について説明する。この給水ボックス取付具５は、その被係止部５ｂとしての弾性片５ｉが、壁１の裏側Ｐ１から壁孔１ａに挿入されてその壁孔１ａの周縁部に係止されることで、本体部５ａ、つまりは給水ボックス取付具５が、壁１に固定される。そして、この給水ボックス取付具５の本体部５ａに、給水ボックス２が固定される。こうして、壁孔１ａの周縁部に係止される弾性片５ｉを備える給水ボックス取付具５を介すことで、給水ボックス２を壁１に、簡単かつ確実に取り付けることができる。
【００３３】
そして、給水ボックス取付具５を壁１に固定する際には、弾性片５ｉは、その先端部分の係合爪５ｆが壁孔１ａの周面との干渉を避けるようにして、壁孔１ａの軸心側方向に弾性変形しながら、壁孔１ａに挿入される。そして、係合爪５ｆが、壁１の表側Ｐ２に出ると、弾性片５ｉは復帰し、係合爪５ｆは壁１の表側壁面１ｃに係合する。こうして、係合爪５ｆが壁１の表側壁面１ｃに係合することで、弾性片５ｉは、壁孔１ａの周縁部に係止され、係合爪５ｆと本体部５ａとで壁１が挟持されて、この給水ボックス取付具５は、壁１に固定される。よって、壁１が石膏ボードなど、ねじ等の固着具がききにくい素材からなる場合であっても、給水ボックス取付具５は、係合爪５ｆと本体部５ａとで壁１を挟持するようにして、その壁１に強固に固定される。しかも、給水ボックス取付具５の板バネ部５ｈによって、その有する弾性により、壁１の厚みが異なる場合、例えば、壁１の厚みがその公差上ばらつく場合にも、係合爪５ｆと本体部５ａとで壁１を挟持することができ、この給水ボックス取付具５を介して、給水ボックス２を壁１に、強固に取り付けることができる。したがって、流体管３を、開口部２ａから出し入れする際に、その流体管３から給水ボックス２が相当の力を受ける場合であっても、給水ボックス２が給水ボックス取付具５とともに壁１から外れるのを防ぐことができる。
【００３４】
また、給水ボックス２を、給水ボックス取付具５の本体部５ａ、つまりは給水ボックス取付具５に取り付ける際に、壁１の裏側Ｐ１から、壁孔１ａおよび貫通孔５ｃに挿入される、給水ボックス２の開口部２ａを利用することで、壁孔１ａの周縁部への弾性片５ｉの係止が解除されるのを防止することができる。したがって、この給水ボックス取付具５を介して、給水ボックス２を壁１に、一層確実に取り付けることができる。つまり、給水ボックス２の開口部２ａを利用することで、弾性片５ｉは、壁孔１ａの軸心側方向への弾性変形が阻止されて、壁１の表側壁面１ｃへの係合爪５ｆの係合が解除されるのを防止することができ、この給水ボックス取付具５を介して、給水ボックス２を壁１に、一層確実に取り付けることができる。
【００３５】
また、給水ボックス２を、給水ボックス取付具５の本体部５ａに、その後面側から押圧すると、給水ボックス２のフランジ部２ｃに係合する爪部５ｅによって、係止部５ｄが給水ボックス２を係止して、この給水ボックス２は、本体部５ａに固定される。こうして、給水ボックス２を、給水ボックス取付具５の本体部５ａに押圧することで、給水ボックス２を、簡単に本体部５ａに固定することができる。
【００３６】
図５は、参考例としての、第二の実施の形態を示す。この第二の実施の形態においては、給水ボックス取付具１１の構造が、第一の実施の形態の給水ボックス取付具５とは異なるが、その他の給水ボックス２、流体管３、エルボー４等は同様の構造であり、以下に、異なる部分を主に説明する。
【００３７】
給水ボックス取付具１１は、第一の実施の形態に示す給水ボックス取付具５と同様に、壁１の裏側Ｐ１に配備されて壁１に形成された壁孔１ａから壁１の表側Ｐ２に臨む開口部２ａを備える給水ボックス２を、壁１に取り付けるためのものである。この給水ボックス取付具１１は、壁１の表側Ｐ２から給水ボックス２の開口部２ａに固定可能な、被固定部としての螺合部１１ａを有する。そして、給水ボックス取付具１１は、給水ボックス２の開口部２ａへの被固定部としての螺合部１１ａの固定により、壁１を給水ボックス２とで挟持するとともに、開口部２ａから出し入れされる流体管３および、その流体管３に接続されて給水ボックス２内に収容される継手としてのエルボー４が通過可能となるよう形成されている。
【００３８】
具体的には、この給水ボックス取付具１１は、例えば、合成樹脂材料からなり、筒状に形成された筒部１１ｂと、筒部１１ｂの一方端に設けられた鍔部１１ｃとからなる。そして、前記螺合部１１ａは、筒部１１ｂの外周に形成されて、給水ボックス２の開口部２ａの、例えば内周に設けられた螺設部２ｅに螺合可能となっている。こうして、壁１の裏側Ｐ１から壁孔１ａに挿入される、給水ボックス２の開口部２ａの螺設部２ｅに、螺合部１１ａが螺合することで、給水ボックス取付具１１は、給水ボックス２の開口部２ａに固定され、このとき、給水ボックス取付具１１の鍔部１１ｃが、壁１の表側壁面１ｃに当接して、壁１を、鍔部１１ｃと給水ボックス２とで挟持する。そして、このとき、前記流体管３やエルボー４が、給水ボックス取付具５の筒部１１ｂ内を通過可能となっている。
【００３９】
また、筒部１１ｂには、その内周に、雌ねじ部１１ｄが形成されている。そして、この雌ねじ部１１ｄに、エルボー４を固定するためのロックリング６が螺合し、さらに、エルボー４の第１の接続口４ａに化粧リング８およびロックナット９が取り付けられる。このようにして、給水ボックス取付具１１が給水ボックス２の開口部２ａに固定されて、この給水ボックス２が壁１に取り付けられたまま、ロックリング６によって、エルボー４を給水ボックス２に固定可能となっている。したがって、エルボー４を給水ボックス２に固定する際に、給水ボックス取付具１１を取外す必要がない。
【００４０】
次に、第二の実施の形態における、上記構成の給水ボックス取付具１１の作用効果について説明する。この給水ボックス取付具１１は、その被固定部としての螺合部１１ａが、給水ボックス２の開口部２ａに固定されることで、壁１を、給水ボックス取付具１１と給水ボックス２とで挟持する。こうして、壁１が石膏ボードなど、ねじ等の固着具がききにくい素材からなる場合であっても、壁１を、この給水ボックス取付具５と給水ボックス２とで挟持することで、給水ボックス２を壁１に、簡単かつ確実に、そして強固に取り付けることができる。したがって、流体管３を、開口部２ａから出し入れする際に、その流体管３から給水ボックス２が相当の力を受ける場合であっても、給水ボックス２が給水ボックス取付具１１とともに壁１から外れるのを防ぐことができる。このとき、給水ボックス取付具１１は、給水ボックス２の開口部２ａから出し入れされる流体管３および、その流体管３に接続されて給水ボックス２内に収容されるエルボー４が、筒部１１ｂ内を通過可能となるよう形成されており、壁１の表側Ｐ２で流体管３に接続されたエルボー４を、この給水ボックス取付具１１に妨げられることなく、給水ボックス２内に収容することができる。
【００４１】
図７は、参考例として、給水ボックスの一実施の形態を示す。この実施の形態においては、給水ボックス２１が、給水ボックス取付具を兼ねているため、第一の実施の形態と比較すると、給水ボックス取付具５は使用されず、給水ボックス２とは構造が若干異なるが、その他の流体管３、エルボー４等は、同様の構造であり、以下に、異なる部分を主に説明する。
【００４２】
給水ボックス２１は、第一の実施の形態に示す給水ボックス２と同様に、壁１の裏側Ｐ１に配備されて、壁１に形成された壁孔１ａから壁１の表側Ｐ２に臨む開口部２１ａを備える。そして、給水ボックス２１は、前記開口部２１ａが設けられたボックス本体２１ｂと、ボックス本体２１ｂを壁１に固定すべく、壁１の裏側Ｐ１から壁孔１ａに挿入されてその壁孔１ａの周縁部に係止可能な被係止部２１ｃと、を備える。具体的には、開口部２１ａは、ボックス本体２１ｂの前面上部から筒状に前方に若干突出して形成されている。そして、この開口部２１ａが、壁１に形成された壁孔１ａに挿入されることで、開口部２１ａは、壁孔１ａから壁１の表側Ｐ２、つまり室内側に臨んでいる。さらに、開口部２１ａには、その内周に、雌ねじ部２１ｄが設けられている。そして、この雌ねじ部２１ｄには、この給水ボックス２１内に収容されるエルボー４の鍔部（図示せず）を抑えることで、そのエルボー４を固定することができるリング状のロックリング６が螺合する。また、給水ボックス２１は、鞘管７が接続される鞘管接続部２１ｅを備えており、この鞘管接続部２１ｅは、給水ボックス２１の下部部分において、下方に突出して形成されている。
【００４３】
被係止部２１ｃは、ボックス本体２１ｂから壁孔１ａ内を、その壁孔１ａの周面に沿って壁１の表側Ｐ２に向かうとともに、材料の持つ弾性により壁孔１ａの軸心側方向に弾性変形可能な弾性片２１ｆからなる。この弾性片２１ｆは、開口部２１ａよりも大径となる位置の、周方向の適宜箇所において、ボックス本体２１ｂの前面から前方に突出するようにして形成されている。そして、弾性片２１ｆの先端部分に、壁１の表側壁面１ｃに係合する係合爪２１ｇが設けられて、その係合爪２１ｇとボックス本体２１ｂとで壁１を挟持する。つまり、弾性片２１ｆを、壁１の裏側Ｐ１から壁孔１ａに挿入する際には、係合爪２１ｇが壁孔１ａの周面に押されて、弾性片２１ｆは壁孔１ａの軸心側方向に弾性変形し、係合爪２１ｇが壁１の表側Ｐ２に出ると、弾性片２１ｆが元に戻り、係合爪２１ｇが壁１の表側壁面１ｃに係合する。そして、弾性片２１ｆは、壁１の表側Ｐ２から壁孔１ａに挿入される変形防止部材２２によって、壁孔１ａの軸心側方向への弾性変形が阻止されて、壁１の表側壁面１ｃへの係合爪２１ｇの係合を解除することが不能となる。ここで、変形防止部材２２は、リング状に形成されて、その内周に設けられた螺合部２２ａが、開口部２１ａの外周に設けられた螺設部２１ｈと螺合しながら、壁孔１ａに挿入される。すなわち、変形防止部材２２は、ねじ結合によって給水ボックス２１に取り付けられるとともに、筒状に若干突出した開口部２１ａと、弾性片２１ｆとの間に形成される間隙にぴったり嵌まり込むように、壁孔１ａに挿入される。そして、このとき、変形防止部材２２の外周面が弾性片２１ｆと当接することで、壁孔１ａの軸心側方向への、弾性片２１ｆの弾性変形を阻止している。
【００４４】
また、ボックス本体２１ｂには、壁１の厚みに応じて、例えば、壁１の公差内の厚みに応じて、係合爪２１ｇとボックス本体２１ｂとで壁１を挟持すべく、壁１の裏側壁面１ｂを押圧する押圧手段２１ｉが設けられている。この押圧手段２１ｉは、ボックス本体２１ｂの前面側を、上方または側方に延設したフランジ部２１ｊに設けられた、ねじ孔２１ｋと、そのねじ孔２１ｋに螺合することで壁１の裏側壁面１ｂを押圧する止めねじ２１ｍとからなる。
【００４５】
次に、上記構成の給水ボックス２１の作用効果について説明する。この給水ボックス２１は、その被係止部２１ｃとしての弾性片２１ｆが、壁１の裏側Ｐ１から壁孔１ａに挿入されてその壁孔１ａの周縁部に係止されることで、ボックス本体２１ｂ、つまりは給水ボックス２１が壁１に固定される。こうして、壁孔１ａの周縁部に係止される弾性片２１ｆを介すことで、給水ボックス２１を壁１に、簡単かつ確実に取り付けることができる。
【００４６】
そして、給水ボックス２１を壁１に取り付ける際には、弾性片２１ｆは、その先端部分の係合爪２１ｇが壁孔１ａの周面との干渉を避けるようにして、壁孔１ａの軸心側方向に弾性変形しながら、壁孔１ａに挿入される。そして、係合爪２１ｇが、壁１の表側Ｐ２に出ると、弾性片２１ｆは復帰し、係合爪２１ｇは壁１の表側壁面１ｃに係合する。こうして、係合爪２１ｇが壁１の表側壁面１ｃに係合することで、弾性片２１ｆは、壁孔１ａの周縁部に係止され、また、係合爪２１ｇとボックス本体２１ｂとで壁１が挟持されて、この給水ボックス２１は、壁１に取り付けられる。よって、壁１が石膏ボードなど、ねじ等の固着具がききにくい素材からなる場合であっても、給水ボックス２１は、係合爪２１ｇとボックス本体２１ｂとで壁１を挟持するようにして、その壁１に強固に取り付けられる。しかも、壁１の裏側壁面１ｂを押圧する押圧手段２１ｉによって、壁１の厚みが異なる場合、例えば、壁１の厚みがその公差上ばらつく場合にも、係合爪２１ｇとボックス本体２１ｂとで壁１を挟持することができるので、この係合爪２１ｇが設けられた弾性片２１ｆによって、給水ボックス２１を壁１に、強固に取り付けることができる。したがって、流体管３を、開口部２１ａから出し入れする際に、その流体管３から給水ボックス２１が相当の力を受ける場合であっても、給水ボックス２１が壁１から外れるのを防ぐことができる。
【００４７】
また、壁孔１ａに挿入される変形防止部材２２を利用することで、弾性片２１ｆは、壁孔１ａの軸心側方向への弾性変形が阻止されて、壁１の表側壁面１ｃへの係合爪２１ｇの係合が解除されるのを防止することができる。したがって、変形防止部材２２によって、給水ボックス２１を壁１に、一層確実に取り付けることができる。
【００４８】
なお、本発明とか参考例は、上述した実施の形態に限定されるわけではなく、その他種々の変更が可能である。例えば、壁１は、ユニットバスの壁でなくとも、建物本体における壁であってもよい。
【００４９】
また、第一の実施の形態に示す給水ボックス取付具５において、被係止部５ｂとしての弾性片５ｉには、壁１の表側壁面１ｃに係合する係合爪５ｆが設けられているが、参考として、この係合爪５ｆの代わりに、壁孔１ａの周面に係合する係合部が設けられてもよい。また、給水ボックス取付具５における押圧手段は、板バネ部５ｈからなる付勢手段５ｇでなくとも、例えば、本体部５ａに螺合して壁１の裏側壁面１ｂを押圧する止めねじ等であってもよい。
【００５０】
また、第二の実施の形態に示す給水ボックス取付具１１において、被固定部としての螺合部１１ａは、筒部１１ｂの外周に形成されなくとも、図６に示すように、筒部１１ｂの内周に形成されて、給水ボックス２の開口部２ａの外周に設けられた螺設部２ｅに螺合可能となっていてもよい。そして、給水ボックス２が、給水ボックス取付具１１によって壁１に取り付けられた状態で、給水ボックス２の雌ねじ部２ｄに、エルボー４を固定するためのロックリング６が螺合する。
【００５１】
また、一実施の形態に示す給水ボックス２１において、被係止部２１ｃとしての弾性片２１ｆは、開口部２１ａよりも大径となる位置に設けられなくとも、図８に示すように、開口部２１ａの一部となって、その開口部２１ａの周方向の適宜箇所に設けられてもよい。この場合、変形防止部材２２は、リング状に形成されて、その外周に設けられた螺合部２２ａが、開口部２１ａの内周に設けられた螺設部２１ｈと螺合しながら、壁孔１ａに挿入される。こうして、変形防止部材２２は、ねじ結合によって給水ボックス２１に取り付けられるとともに壁孔１ａに挿入されることで、壁孔１ａの軸心側方向への、弾性片２１ｆの弾性変形を阻止している。そして、変形防止部材２２には、その内周に、雌ねじ部２２ｂが形成されている。この雌ねじ部２２ｂには、エルボー４を固定するためのロックリング６が螺合する。このようにして、変形防止部材２２が給水ボックス２１の開口部２１ａの外周側に取り付けられる場合（図７参照）だけでなく、変形防止部材２２が給水ボックス２１の開口部２１ａの内周側に取り付けられる場合（図８参照）であっても、変形防止部材２２が給水ボックス２１に取り付けられたまま、流体管３を開口部２１ａから出し入れしたり、その流体管３に接続されるエルボー４を給水ボックス２１内に収容したり、また、ロックリング６によってエルボー４を給水ボックス２１に固定したりすることが可能となっている。したがって、エルボー４を給水ボックス２１に固定する際等に、変形防止部材２２を取外す必要がない。
【００５２】
さらには、図９に示すように、被係止部２１ｃを、ボックス本体２１ｂとは別体の止め具２１ｎにより形成してもよい。この止め具２１ｎは、ステンレス鋼板等のばね材料からなり、略コの字状に折り曲げ形成されている。この止め具２１ｎは、ボックス本体２１ｂの前面から前方に突出するとともに壁孔１ａに挿入される筒状の突出部２１ｐの周方向の適宜箇所に、その突出部２１ｐを略コの字状の対向する二片で挟み込むようにして取り付けられる。そして、止め具２１ｎの一方の片の先端部分が、壁１の裏側Ｐ１方向を向くとともに壁孔１ａの周面を押圧するように湾曲形成されて、その壁孔１ａの周面に係合する係合部２１ｑとなっている。こうして、止め具２１ｎを、突出部２１ｐとともに、壁１の裏側Ｐ１から壁孔１ａに挿入していくと、係合部２１ｑが、壁孔１ａの周面に押されて、係合部２１ｑは壁孔１ａの軸心側方向に弾性変形しながら進入する。そして、壁孔１ａの周面に係合する係合部２１ｑによって、止め具２１ｎの戻りが阻止され、こうして、ボックス本体２１ｂ、つまりは給水ボックス２１は、壁１に取付固定される。また、給水ボックス２１において、押圧手段２１ｉは、止めねじ２１ｍおよびねじ孔２１ｋからならなくとも、たとえば、壁１の裏側壁面１ｂを付勢するばね部材等の付勢手段からなっていてもよい。
【００５３】
また、第一の実施の形態に示す給水ボックス取付具５、および一実施の形態に示す給水ボックス２１において、付勢手段５ｇや押圧手段２１ｉは、壁１の公差内の厚みに応じるものでなくとも、壁１の公差を超える各種の厚みに応じるものであってもよい。
【００５４】
【発明の効果】
以上、詳述したところから明らかなように、この発明に係る給水ボックス取付具および給水ボックス装置によれば、次の効果がある。
【００５５】
請求項１に記載された給水ボックス取付具、および請求項６に記載された給水ボックス装置によれば、壁孔の周縁部に係止される被係止部を備えるこの給水ボックス取付具を介すことで、給水ボックスを壁に、簡単かつ確実に取り付けることができる。
【００５６】
【００５７】
そして、係合爪と本体部とで壁が挟持されるので、この給水ボックス取付具を介して、給水ボックスを壁に、強固に取り付けることができる。
【００５８】
しかも、給水ボックスの筒状に前方に突出して形成された開口部によって、壁の表側壁面への係合爪の係合が解除されるのが防止されるので、この給水ボックス取付具を介して、給水ボックスを壁に、一層確実に取り付けることができる。
【００５９】
また、請求項２ないし４に記載された給水ボックス取付具によれば、請求項１の効果に加えて、壁の厚みが異なる場合にも、係合爪と本体部とで壁を挟持することができる。
【００６０】
また、請求項５に記載された給水ボックス取付具によれば、請求項１ないし４のいずれか１項の効果に加えて、給水ボックスを、給水ボックス取付具の本体部に押圧することで、給水ボックスを、簡単に本体部に固定することができる。
【図面の簡単な説明】
【図１】  この発明としての、第一の実施の形態の、取付状態を示す縦断面図である。
【図２】  同じく、図１におけるＡ−Ａ線による断面図である。
【図３】  同じく、給水ボックス取付具の正面図である。
【図４】  同じく、図３におけるＢ−Ｂ線による断面図である。
【図５】  参考例としての、第二の実施の形態の、取付状態を示す縦断面図である。
【図６】  図５に示す第二の実施の形態の変形例を示す、縦断面図である。
【図７】  参考例として、給水ボックスの一実施の形態の、取付状態を示す縦断面図である。
【図８】  図７に示す一実施の形態の変形例を示す、縦断面図である。
【図９】  図７に示す一実施の形態の他の変形例を示す、縦断面図である。
【図１０】  従来の給水ボックスの取付状態を示す縦断面図である。
【符号の説明】
１  壁                            １ａ  壁孔
１ｂ  裏側壁面                    １ｃ  表側壁面
２  給水ボックス                  ２ａ  開口部
４  エルボー（継手）              ５  給水ボックス取付具
５ａ  本体部                      ５ｂ  被係止部
５ｄ  係止部                      ５ｆ  係合爪
５ｇ  付勢手段（押圧手段）        ５ｈ  板バネ部
５ｉ  弾性片
Ｐ１  裏側                        Ｐ２  表側
【図１】
0004514898.tif 000002
【図２】
0004514898.tif 000003
【図３】
0004514898.tif 000004
【図４】
0004514898.tif 000005
【図５】
0004514898.tif 000006
【図６】
0004514898.tif 000007
【図７】
0004514898.tif 000008
【図８】
0004514898.tif 000009
【図９】
0004514898.tif 000010
【図１０】
0004514898.tif 000011